【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  放送波を受信してデジタルデータを生成し、記録媒体に書き込む録画装置であって、
放送波を受信して、放送波に変調された放送信号を出力するチューナと、
出力された放送信号を符号化してデジタルデータを得るエンコーダと、
チューナから出力される放送信号を符号化するにあたって、放送信号に割り当てるべきビットレートの算出を行うビットレート算出手段と、
新たなデジタルデータが生成される度に、生成されたデジタルデータを、記録媒体に書き込むことにより録画処理を行う録画手段と、
ビットレート算出手段により算出された割当てビットレートが所定の閾値を下回った時点を、サービス期間からサービス休止期間への切り換え時点であるとして判定し、ビットレート算出手段により算出された割当てビットレートが所定の閾値を上回った時点を、サービス休止期間からサービス期間への切り換え時点であるとして判定する判定手段と、
サービス期間からサービス休止期間への切り換え時点において、前記録画手段による録画処理を停止させ、サービス休止期間からサービス期間への切り換え時点において、前記録画手段による録画処理を再開させる制御手段と
を備えることを特徴とする録画装置。
【請求項２】  前記録画装置は、
放送波中の番組特定情報の存在を監視する番組特定情報監視手段を備え、
前記判定手段は、放送波中に番組特定情報が存在しない場合、又は、放送波中に番組特定情報が存在するが、番組特定情報の記述が無効である場合、
又は、放送波中に番組特定情報が存在するが、番組特定情報にて指定されるストリームの内容が、サービス休止を示すアナウンスメッセージである場合、サービス休止期間と判定する請求項１記載の録画装置。
【請求項３】  前記録画装置は、
放送波の状態を検出する停波状態検出手段を備え、
前記判定手段は、放送波の送信停止を検出するとサービス期間からサービス休止期間への切り換え時点と判定し、放送波の送信開始を検出するとサービス休止期間からサービス期間への切り換え時点と判定する請求項１記載の録画装置。
【請求項４】  前記割当てビットレートが、所定の閾値を下回るのは、放送信号が、静止画である場合である
ことを特徴とする請求項１記載の録画装置。
【請求項５】  前記録画装置は、
サービス休止期間における映像の動きの少なさの設定をユーザから受け付ける受付手段を備え、
前記閾値は、
受付手段が受け付けた映像の動きの少なさに応じて変化する値である
ことを特徴とする請求項１記載の録画装置。
【請求項６】  放送波を受信してデジタルデータを生成し、記録媒体に書き込む処理をコンピュータに行わせる録画方法であって、
放送波を受信して、放送波に変調された放送信号を出力する受信ステップと、
出力された放送信号を符号化してデジタルデータを得るエンコードステップと、
チューナから出力される放送信号を符号化するにあたって、放送信号に割り当てるべきビットレートの算出を行うビットレート算出ステップと、
新たなデジタルデータが生成される度に、生成されたデジタルデータを、記録媒体に書き込むことにより録画処理を行う録画ステップと、
ビットレート算出ステップにより算出された割当てビットレートが所定の閾値を下回った時点を、サービス期間からサービス休止期間への切り換え時点であるとして判定し、ビットレート算出手段により算出された割当てビットレートが所定の閾値を上回った時点を、サービス休止期間からサービス期間への切り換え時点であるとして判定する判定ステップと、
サービス期間からサービス休止期間への切り換え時点において、前記録画手段による録画処理を停止させ、サービス休止期間からサービス期間への切り換え時点において、前記録画手段による録画処理を再開させる制御ステップと
を備える録画方法。
【請求項７】  前記録画方法は、
放送波中の番組特定情報の存在を監視する番組特定情報監視ステップを備え、
前記判定ステップは、放送波中に番組特定情報が存在しない場合、又は、放送波中に番組特定情報が存在するが、番組特定情報の記述が無効である場合、
又は、放送波中に番組特定情報が存在するが、番組特定情報にて指定されるストリームの内容が、サービス休止を示すアナウンスメッセージである場合、サービス休止期間と判定する請求項６記載の録画方法。
【請求項８】  前記録画方法は、
放送波の状態を検出する停波状態検出ステップを備え、
前記判定ステップは、放送波の送信停止を検出するとサービス期間からサービス休止期間への切り換え時点と判定し、放送波の送信開始を検出するとサービス休止期間からサービス期間への切り換え時点と判定する請求項６記載の録画方法。
【請求項９】  前記割当てビットレートが、所定の閾値を下回るのは、放送信号が、静止画である場合である
ことを特徴とする請求項６記載の録画方法。
【請求項１０】  前記プログラムは、
サービス休止期間における映像の動きの少なさの設定をユーザから受け付ける受付ステップを備え、
前記閾値は、
受付ステップが受け付けた映像の動きの少なさに応じて変化する値である
ことを特徴とする請求項６記載の録画方法。
【手続補正２】
【補正対象書類名】明細書
【補正対象項目名】発明の名称
【補正方法】変更
【補正の内容】
【発明の名称】録画装置、録画方法
【手続補正３】
【補正対象書類名】明細書
【補正対象項目名】００１０
【補正方法】変更
【補正の内容】
【００１０】
【課題を解決するための手段】
上記目的を達成するため本発明に係る録画装置は、放送波を受信してデジタルデータを生成し、記録媒体に書き込む録画装置であって、放送波を受信して、放送波に変調された放送信号を出力するチューナと、出力された放送信号を符号化してデジタルデータを得るエンコーダと、チューナから出力される放送信号を符号化するにあたって、放送信号に割り当てるべきビットレートの算出を行うビットレート算出手段と、新たなデジタルデータが生成される度に、生成されたデジタルデータを、記録媒体に書き込むことにより録画処理を行う録画手段と、ビットレート算出手段により算出された割当てビットレートが所定の閾値を下回った時点を、サービス期間からサービス休止期間への切り換え時点であるとして判定し、ビットレート算出手段により算出された割当てビットレートが所定の閾値を上回った時点を、サービス休止期間からサービス期間への切り換え時点であるとして判定する判定手段と、サービス期間からサービス休止期間への切り換え時点において、前記録画手段による録画処理を停止させ、サービス休止期間からサービス期間への切り換え時点において、前記録画手段による録画処理を再開させる制御手段とを備えることを特徴としている。
【手続補正４】
【補正対象書類名】明細書
【補正対象項目名】００６７
【補正方法】変更
【補正の内容】
【００６７】
【発明の効果】
以上説明したように本発明に係る録画装置は、放送波を受信して、放送波に変調された放送信号を出力するチューナと、出力された放送信号を符号化してデジタルデータを得るエンコーダと、チューナから出力される放送信号を符号化するにあたって、放送信号に割り当てるべきビットレートの算出を行うビットレート算出手段と、新たなデジタルデータが生成される度に、生成されたデジタルデータを、記録媒体に書き込むことにより録画処理を行う録画手段と、ビットレート算出手段により算出された割当てビットレートが所定の閾値を下回った時点を、サービス期間からサービス休止期間への切り換え時点であるとして判定し、ビットレート算出手段により算出された割当てビットレートが所定の閾値を上回った時点を、サービス休止期間からサービス期間への切り換え時点であるとして判定する判定手段と、サービス期間からサービス休止期間への切り換え時点において、前記録画手段による録画処理を停止させ、サービス休止期間からサービス期間への切り換え時点において、前記録画手段による録画処理を再開させる制御手段とを備えており(1)、サービス休止期間に録画を行わないように、制御するので、深夜・早朝等の消費電力を低減しつつ、常時録画を継続して行うことができる。
【手続補正５】
【補正対象書類名】明細書
【補正対象項目名】００６９
【補正方法】削除
【補正の内容】
【手続補正６】
【補正対象書類名】明細書
【補正対象項目名】００７０
【補正方法】変更
【補正の内容】
【００７０】
サービス休止期間に停波状態になっている放送サービスや、カラーバ等の試験
電波を放送しているような放送サービスであっても、サービス休止期間をスキッ
プするように常時録画を行うことができる。
【手続補正７】
【補正対象書類名】明細書
【補正対象項目名】００７３
【補正方法】変更
【補正の内容】
【００７３】
この録画装置では、局周辺の光景を放送しているサービス休止期間を録画しな
いように閾値を調整することができる。
【手続補正８】
【補正対象書類名】明細書
【補正対象項目名】００７４
【補正方法】削除
【補正の内容】
【手続補正９】
【補正対象書類名】明細書
【補正対象項目名】００７５
【補正方法】削除
【補正の内容】